(57)【要約】【課題】部品点数が少なく、安定してレンズ駆動端子を基板に接続して導通を取ること。【解決手段】ヨーク（２０）を装着すると共に、下側板バネ（２４）の外周側端部（２４４）をヨーク（２０）とで挟持するベース（１２）と、下側板バネ（２４）とベース（１２）との間に配置されて、駆動コイル（１６）に電力を供給するシート状電極（３２）とを備えたレンズ駆動装置において、シート状電極（３２）は、駆動コイル（１６）の一対の引出し線（１６２）と電気的に接続される電極部（３２２）と、この電極部から下方に延出して先端に一対のレンズ駆動端子（３２４ａ）を持つ延出部（３２４）とを有する。ベース（１２）は、下方に突出して、延出部を挿通するための挿通孔（１２２ａ）を持つガイド（１２２）を有する。ガイド（１２２）の下端から一対のレンズ駆動端子（３２４ａ）が露出している。【選択図】      図１
2009216878.tif 000002
【特許請求の範囲】
【請求項１】
レンズアセンブリを保持するための筒状部を有するレンズホルダと、該レンズホルダに前記筒状部の周囲に位置するように固定された駆動コイルと、該駆動コイルと対向する永久磁石を備えたヨークと、前記レンズホルダの筒状部の光軸方向両側に設けられ、前記レンズホルダを径方向に位置決めした状態で光軸方向に変位可能に支持する上側板バネおよび下側板バネとを備え、前記上側板バネ及び前記下側板バネの各々は、前記レンズホルダに取り付けられた内周側端部と前記ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置であって、該レンズ駆動装置は、前記ヨークを装着すると共に、前記下側板バネの前記外周側端部を前記ヨークとで挟持するベースと、前記下側板バネと前記ベースとの間に配置されて、前記駆動コイルに電力を供給するシート状電極とを更に備えたレンズ駆動装置において、
前記シート状電極は、前記駆動コイルの一対の引出し線と電気的に接続される電極部と、該電極部から下方に延出して先端に一対のレンズ駆動端子を持つ延出部とを有し、
前記ベースは、下方に突出して、前記延出部を挿通するための挿通孔を持つガイドを有し、
前記ガイドの下端から前記一対のレンズ駆動端子が露出していることを特徴とするレンズ駆動装置。
【請求項２】
請求項１に記載のレンズ駆動装置と、撮像素子が実装されて、上面上に前記レンズ駆動装置を搭載する基板とを有するカメラモジュールであって、
前記基板は、前記上面に、前記一対のレンズ駆動端子と導電性樹脂を介して電気的に接続される導電性パターンを持つことを特徴とするカメラモジュール。
【請求項３】
前記導電性樹脂に塗布された放熱性樹脂を更に有する、請求項２に記載のカメラモジュール。
【請求項４】
前記放熱性樹脂を覆う導電性板を更に有する、請求項３に記載のカメラモジュール。
【請求項５】
前記導電性樹脂から離間して、前記導電性樹脂を覆う導電性板を更に有する、請求項２に記載のカメラモジュール。
【請求項６】
前記レンズ駆動装置が実質的に直方体形状をしており、前記基板が前記直方体形状に対応した矩形形状をしている、請求項２乃至５のいずれか１つに記載のカメラモジュール。
【発明の詳細な説明】
【技術分野】
【０００１】
本発明はレンズ駆動装置およびカメラモジュールに関し、特に、携帯型小型カメラに用いられるオートフォーカス用レンズ駆動装置およびカメラモジュールに関する。
【背景技術】
【０００２】
カメラ付携帯電話には携帯型小型カメラが搭載されている。この携帯型小型カメラには、オートフォーカス用レンズ駆動装置が用いられる。従来から、種々のオートフォーカス用レンズ駆動装置が提案されている。
【０００３】
例えば、特許文献１（特開２００６−２５８９６９号公報）は、オートフォーカスに要する時間を短縮したカメラ付携帯電話を開示している。この特許文献３に開示されたカメラ付携帯電話（レンズ駆動装置）は、一端にレンズ（レンズアセンブリ、バレル）が取り付けられた筒状部を有するホルダ（レンズホルダ）と、このホルダ（レンズホルダ）にホルダの筒状部の周囲に位置するように固定された駆動コイルと、この駆動コイルと対向する永久磁石を備えたヨークと、ホルダ（レンズホルダ）の筒状部の光軸方向両側に設けられ、ホルダ（レンズホルダ）を径方向に位置決めした状態で光軸方向に変位可能に支持する一対の板バネとを備える。駆動コイルに通電することで、永久磁石の磁界と駆動コイルに流れる電流による磁界との相互作用によって、レンズ（レンズアセンブリ）を光軸方向に位置調整可能である。一対の板バネのうち、一方は上側板バネ（前側スプリング）と呼ばれ、他方は下側板バネ（後側スプリング）と呼ばれる。上側板バネ（前側スプリング）の内周側端部は、ホルダの上端（前端）とストッパとの間に挟持されて、ホルダ（レンズホルダ）に嵌合されている。
【０００４】
この特許文献１に開示されたアクチュエータ（レンズ駆動装置）は、下側板バネの光軸方向外側に設けられ、下側板バネをヨークの光軸方向端面との間で挟持するアクチュエータ・ベースと、駆動コイルに電力を供給するために、下側板バネとアクチュエータ・ベースとの間に配置されたシート状電極とを更に有する。シード状電極は、ポリイミドのシート材から成る略円形リング状に形成したリング状部（電極部）と、このリング状部から径方向外側に延出する延出部とを有する。この延出部は、アクチュエータ・ベースの挿通孔を通じてアクチュエータ・ベースの外部に延出している。延出部は、基板に接続され、駆動コイルに電流を供給する役割を果たす。シート状電極のリング状部上に設けられた端子部に駆動コイルの一対の引出し線の先端をはんだ付けすることで、駆動コイルに電力を供給することができる。
【０００５】
また、特許文献１に開示されたカメラモジュールは、基板と、この基板上に載置された撮像素子と、この撮像素子と間隔を置いて、基板上に載置された電子部品と、基板と組み合わされて撮像素子および電子部品を封止する密閉空間を形成する封止部材と、この封止部材上に載置された上記アクチュエータとを有する。
【０００６】
【特許文献１】特開２００６−２５８９６９号公報（図２、図３、図４）
【発明の開示】
【発明が解決しようとする課題】
【０００７】
特許文献１では、シート状電極の延出部を、アクチュエータ・ベースの挿通孔を通じてアクチュエータ・ベースの外部に延出している。したがって、挿通孔から基板までの間、シート状電極の延出部を引き回す必要がある。その引き回しを避けるために、特許文献１の図３に開示されているような、アクチュエータ・ベースと別体にガイドを設けることが考えられる。しかしながら、その構造では、部品点数が増加してしまうという問題がある。さらに、特許文献１では、シート状電極の延出部を基板に接続するとのみ記載され、どのように接続するかについては何ら開示していない。
【０００８】
本発明の課題は、部品点数が少なく、安定してレンズ駆動端子を基板に接続して導通を取ることが可能なレンズ駆動装置およびカメラモジュールを提供することにある。
【０００９】
本発明の他の目的は、説明が進むにつれて明らかになるだろう。
【課題を解決するための手段】
【００１０】
本発明の第１の態様によれば、レンズアセンブリを保持するための筒状部（１４０）を有するレンズホルダ（１４）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ）方向両側に設けられ、レンズホルダを径方向に位置決めした状態で光軸（Ｏ）方向に変位可能に支持する上側板バネ（２２）および下側板バネ（２４）とを備え、上側板バネ及び下側板バネの各々は、レンズホルダ（１４）に取り付けられた内周側端部（２２２；２４２）とヨーク（２０）に取り付けられた外周側端部（２２４；２４４）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０）であって、レンズ駆動装置（１０）は、ヨーク（２０）を装着すると共に、下側板バネ（２４）の外周側端部（２４４）をヨーク（２０）とで挟持するベース（１２）と、下側板バネ（２４）とベース（１２）との間に配置されて、駆動コイル（１６）に電力を供給するシート状電極（３２）とを更に備えたレンズ駆動装置において、シート状電極（３２）は、駆動コイル（１６）の一対の引出し線（１６２）と電気的に接続される電極部（３２２）と、この電極部から下方に延出して先端に一対のレンズ駆動端子（３２４ａ）を持つ延出部（３２４）とを有し、ベース（１２）は、下方に突出して、延出部を挿通するための挿通孔（１２２ａ）を持つガイド（１２２）を有し、ガイド（１２２）の下端から一対のレンズ駆動端子（３２４ａ）が露出していることを特徴とするレンズ駆動装置が得られる。
【００１１】
本発明の第２の態様によれば、上記レンズ駆動装置（１０）と、撮像素子が実装されて、上面（４２ａ）上にレンズ駆動装置を搭載する基板（４２）とを有するカメラモジュール（４０）であって、基板（４２）は、上面（４２ａ）に、一対のレンズ駆動端子（３２４ａ）と導電性樹脂（５２）を介して電気的に接続される導電性パターン（４２２）を持つことを特徴とするカメラモジュールが得られる。
【００１２】
上記カメラモジュール（４０）において、導電性樹脂（５２）に塗布された放熱性樹脂（５４）を更に有することが好ましい。また、放熱性樹脂（５４）を覆う導電性板（５６）を更に有することが好ましい。その代わりに、導電性樹脂（５２）から離間して、導電性樹脂（５２）を覆う導電性板（５６）を更に有してもよい。また、レンズ駆動装置（１０）が実質的に直方体形状をしており、基板（４０）が直方体形状に対応した矩形形状をしていることが好ましい。
【００１３】
尚、上記括弧内の参照符号は、理解を容易にするために付したものであり、一例に過ぎず、これらに限定されないのは勿論である。
【発明の効果】
【００１４】
本発明では、回転防止部材を備えているので、レンズアセンブリをレンズホルダの筒状部に装着したり、フォーカス調整する際に、レンズホルダがレンズアセンブリと一緒に回転するのを完全に防止することができる。
【発明を実施するための最良の形態】
【００１５】
以下、図面を参照して、本発明の実施の形態について説明する。
【００１６】
図１乃至図３を参照して、本発明の一実施の形態によるレンズ駆動装置１０について説明する。図１はレンズ駆動装置１０を斜め上方から見た外観斜視図であり、図２はレンズ駆動装置１０を斜め下方から見た外観斜視図であり、図３はレンズ駆動装置１０の分解斜視図である。ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００１７】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００１８】
図示のレンズ駆動装置１０は、オートフォーカス可能なカメラ付き携帯電話に備えられる。レンズ駆動装置１０は、レンズアセンブリ（バレル）（図示せず）を光軸Ｏ方向に移動させるためのものである。レンズ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、基板と、撮像素子との組み合わせによって、カメラモジュールが構成される。
【００１９】
尚、カメラモジュールについては、後で、図４を参照して詳細に説明する。
【００２０】
レンズ駆動装置１０は、レンズアセンブリ（バレル）を保持するための筒状部１４０を有するレンズホルダ１４と、このレンズホルダ１４に筒状部１４０の周囲に位置するように固定された駆動コイル１６と、この駆動コイル１６と対向する永久磁石１８を備えたヨーク２０と、レンズホルダ１４の筒状部１４０の光軸Ｏ方向両側に設けられた一対の板バネ２２、２４を備える。一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００２１】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００２２】
図３に示されるように、ヨーク２０は八角筒状をしている。ヨーク２０の八角筒は、互いに対向する４長側辺と、これら４長側辺間に配置された４短側辺とから成る。従って、駆動コイル１６も、八角筒状のヨーク２０の形状に合わせた、八角筒状をしている。永久磁石１８は、ヨーク２０の八角筒の各側辺に配置された、８個の矩形状の永久磁石片１８２から成る。ヨーク２０は、八角筒形状の外筒部２０２と、この外筒部２０２の上端（前端）に設けられた八角形のリング端部２０４とを有する。
【００２３】
ヨーク２０の外筒部２０２の内周面に、駆動コイル１６と間隔を置いて、永久磁石１８が配置されている。
【００２４】
上側板バネ（前側スプリング）２２はレンズホルダ１４における光軸Ｏ方向上側（前側）に配置され、下側板バネ（後側スプリング）２４はレンズホルダ１４における光軸Ｏ方向下側（後側）に配置される。上側板バネ（前側スプリング）２２と下側板バネ（後側スプリング）２４とは、略同一構成をしている。すなわち、上側板バネ（前側スプリング）２２は、レンズホルダ１４に取り付けられた内周側端部２２２と、ヨーク２０に取り付けられた外周側端部２２４とを有する。内周側端部２２２と外周側端部２２４とに間には、３つの腕部が設けられている。各腕部は、内周側端部２２２と外周側端部２２４とを繋いでいる。
【００２５】
同様に、下側板バネ（後側スプリング）２４は、レンズホルダ１４に取り付けられた内周側端部２４２と、ヨーク２０に取り付けられた外周側端部２４４とを有する。内周側端部２４２と外周側端部２４４とに間には、３つの腕部が設けられている。各腕部は、内周側端部２４２と外周側端部２４４とを繋いでいる。
【００２６】
尚、内周側端部は内輪とも呼ばれ、外周側端部は外輪とも呼ばれる。
【００２７】
上側板バネ（前側スプリング）２２の内周側端部２２２は、レンズホルダ１４とストッパ２６に挟持されて固定されている。換言すれば、ストッパ２６は、上側板バネ（前側スプリング）２２の内周側端部２２２を、レンズホルダ１４との間で挟持するように、レンズホルダ１４と嵌合する。一方、上側板バネ（前側スプリング）２２の外周側端部２２４は、ヨーク２０とカバー２８との間に挟持され固定されている。
【００２８】
ストッパ２６には、次に述べるような機能がある。すなわち、ストッパ２６は、上側板バネ（前側スプリング）２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、上側板バネ（前側スプリング）２２の接着強度を向上させる機能をもつ。これにより、レンズ駆動装置１０の耐衝撃性を向上させている。さらに、ストッパ２６は、レンズ駆動装置１０の落下衝撃の際の上側板バネ（前側スプリング）２２の変形を防止する機能を持つ。これによっても、レンズ駆動装置１０の耐衝撃性を向上させている。また、ストッパ２６は、レンズ駆動装置１０の機械的ストロークを決める機能を持つ。
【００２９】
尚、後述するように、本実施の形態では、このストッパ２６に、レンズホルダ１４の回転防止機能も付加されている。
【００３０】
一方、下側板バネ（後側スプリング）２４の外周側端部２４４は、スペーサ３０を介してヨーク２０に固定されている。換言すれば、スペーサ３０と下側板バネ（後側スプリング）２４の外周側端部２４４とは、ヨーク２０とアクチュエータ・ベース１２との間に挟持されて固定されている。下側板バネ（後側スプリング）２４の内周側端部２４２は、レンズホルダ１４の下端（後端）側に固定されている。
【００３１】
レンズホルダ１４の筒状部１４０の内周壁には雌ネジ１４２が切られている。一方、図示しないが、レンズアセンブリ（バレル）の外周壁には、上記雌ネジ１４２に螺合される雄ネジが切られている。従って、レンズアセンブリ（バレル）をレンズホルダ１４に装着するには、レンズアセンブリ（バレル）をレンズホルダ１４の筒状部１４０に対して光軸Ｏ周りに回転して光軸Ｏ方向に沿って螺合することにより、レンズアセンブリ（バレル）をレンズホルダ１４内に収容し、接着剤なとによって互いに接合する。
【００３２】
この際、レンズホルダ１４が一緒に回転しまう恐れがあるが、後述するようにして、レンズホルダ１４が回転するのは完全に防止される。
【００３３】
駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００３４】
下側板バネ（後側スプリング）２４とベース１２との間には、シート状電極３２が配置されている。このシート状電極３２は、駆動コイル１６に電力を供給するためのものである。また、カバー２８の上端（前端）には、開口３４ａを持つプレート３４が設けられる。
【００３５】
図示の実施の形態では、ストッパ２６は、光軸Ｏに対して１８０°だけ回転させた２回回転対称な位置に設けられた２つのコ字形状の回転防止押え部２６２を持つ。これらコ字形状の回転防止押え部２６２は、レンズアセンブリをレンズホルダ１４の筒状部１４０に装着する際に、レンズホルダ１４が回転するのを完全に防止する回転防止部材として働く。すなわち、レンズアセンブリのレンズホルダ１４の筒状部１４０への装着時に、２つのコ字形状の回転防止押え部２６２に治具（図示せず）を差し込み保持することで、レンズホルダ１４が回転するのを完全に防止する。この際、ストッパ２６とカバー２８との間のクリアランスは確保（保持）される。
【００３６】
シート状電極３２は、駆動コイル１６の一対の引出し線１６２と電気的に接続される電極部３２２と、この電極部３２２から下方に延出して先端に一対のレンズ駆動端子３２４ａを持つ延出部３２４とを有する。レンズホルダ１４は、下側板バネ２４が外れるのを防止する複数のバネ外れ防止ガイド１４４を有する。バネ外れ防止ガイド１４４は、一対の引出し線１６２を引き出すための引出し用穴（図示せず）を持つ。したがって、駆動コイル１６の一対の引出し線１６２は、バネ外れ防止ガイド１４４の引出し用穴を介して引き出され、一対の引出し線１６２の先端は、電極部３２２に設けられた端子部（図示せず）に半田付けされる。
【００３７】
一方、アクチュエータ・ベース１２は、下方に突出して、延出部３２４を挿通するための挿通孔１２２ａ（図５参照）を持つガイド１２２を有する。図１および図２に示されるように、ガイド１２２の下端から一対のレンズ駆動端子３２４ａが露出している。したがって、アクチュエータ・ベース１２のガイド１２２に沿ってシート状電極３２の延出部３２４が引き出される。
【００３８】
このように、ガイド１２２がアクチュエータ・ベース１２と一体に構成されているので、部品点数を削減することができる。また、ガイド１２２の下端から一対のレンズ駆動端子３２４ａが露出しているので、安定してレンズ駆動端子３２４ａを基板４２（図４参照）に接続して導通を取ることができる。
【００３９】
次に、図４および図５を参照して、図１に図示したレンズ駆動装置１０を含むカメラモジュール４０について説明する。図４はカメラモジュール４０を斜め上方から見た外観斜視図である。図５は図４のレンズ駆動端子３２４ａの電気的接続部分（接点部分）を拡大して示した断面図である。
【００４０】
カメラモジュール４０は、基板４２と、この基板４２の上面４２ａ上に実装（載置）された撮像素子（図示せず）と、この撮像素子と間隔を置いて、基板４２の上面４２ａに実装（載置）された複数の電子部品（図示せず）と、基板４２と組み合わされて撮像素子および複数の電子部品を封止する密閉空間を形成する封止部材４４とを有する。この封止部材４４上にレンズ駆動装置１０が載置される。
【００４１】
図５に示されるように、基板４４は、その上面４４ａに、一対のレンズ駆動端子３２４ａと導電性樹脂５２を介して電気的に接続される銅パターンなどの導電性パターン４２２を持つ。導電性樹脂５２としては、その基材として、エポキシ系樹脂のような熱硬化性樹脂が使用される。
【００４２】
一対のレンズ駆動端子３２４ａと基板４２の導電性パターン４２２との電気的接続に半田を使用したとする。この場合、半田コテの温度が３００℃以上と高温であるため、部品に熱的ストレスがかかり部品が破損する恐れがある。また、作業者による外観のバラツキも発生する。
【００４３】
これに対して、本実施の形態では、一対のレンズ駆動端子３２４ａと基板４２の導電性パターン４２２との電気的接続に導電性樹脂５２を使用しているので、安定してレンズ駆動探知３２４ａと基板４２の導電性パターン４２２とを接続して、銅通を取ることが出来る。また、一対のレンズ駆動端子３２４ａを、カメラモジュール４０の外側表面に配置させるのではなく、カメラモジュール４０の内部に配置しているので、外部からのダメージ（落下、衝撃、他部品とのショート）を受けないという利点もある。さらに、ディスペンサーで導電性樹脂５２を塗布することにより、塗布量のバラツキを無くすことができる。
【００４４】
また、図４に示されるように、一対のレンズ駆動端子３２４ａと基板４２の導電性パターン４２２との電気的接続部分（接点部分）が箱状になっている。したがって、導電性樹脂５２を塗布する場合、塗布エリアが明確であり、作業性を改善することができる。また、上記電気的接続部分（接点部分）がカメラモジュール４０の内部で箱状になっている。そのため、外形制約に全く寄与しない。また、カメラモジュール４０の外観も綺麗である。
【００４５】
また、図４に示されるように、レンズ駆動装置１０は実質的に直方体形状をしており、基板４２はこの直方体形状に対応した矩形形状をしている。したがって、カメラモジュール４０の小型化が可能である。
【００４６】
図６を参照して、本発明の第２の実施の形態に係るレンズ駆動端子３２４ａの電気的接続部分（接点部分）について説明する。
【００４７】
図示の実施の形態では、放熱性樹脂５４を箱状接点部分に塗布している。すなわち、放熱性樹脂５４が導電性樹脂５２に塗布されている。
【００４８】
このような構造とすることにより、駆動コイル１６やレンズアセンブリの発熱を抑えることができる。また、外部からの電気的ダメージ（ショート）を防ぐこともできる。
【００４９】
図７を参照して、本発明の第３の実施の形態に係るレンズ駆動端子３２４ａの電気的接続部分（接点部分）について説明する。
【００５０】
図示の実施の形態では、金属板などの導電性板５６で箱状接点部分にフタをしている。すなわち、導電性板５６は放熱性樹脂５４を覆っている。導電性板（金属板）５６としては、例えば、銅板や洋箔板などを使用できる。
【００５１】
このように、箱状接点部分を導電性板５６でフタをすることにより、ノイズや不要輻射対策が可能である。
【００５２】
尚、図７に示した実施の形態では、放熱性樹脂５４を導電性板５６で覆っているが、図５に示されるように、放熱性樹脂５４がない場合には、導電性板５６は、導電性樹脂５２から離間して、導電性樹脂５２を覆ってもよい。
【００５３】
以上、本発明についてその好ましい実施の形態によって説明してきたが、本発明の精神を逸脱しない範囲内で、種々の変形が当業者によって可能であるのは明らかである。
【図面の簡単な説明】
【００５４】
【図１】本発明の第１の実施の形態によるレンズ駆動装置を斜め上方から見た外観斜視図である。
【図２】図１に示したレンズ駆動装置を斜め下方から見た外観斜視図である。
【図３】図１に示したレンズ駆動装置の分解斜視図である。
【図４】図１に図示したレンズ駆動装置を含むカメラモジュールを斜め上方から見た外観斜視図である。
【図５】図４のレンズ駆動端子の電気的接続部分（接点部分）を拡大して示した断面図である。
【図６】本発明の第２の実施の形態に係るレンズ駆動端子の電気的接続部分（接点部分）を拡大して示した断面図である。
【図７】本発明の第３の実施の形態に係るレンズ駆動端子の電気的接続部分（接点部分）を拡大して示した断面図である。
【符号の説明】
【００５５】
１０    レンズ駆動装置
１２    アクチュエータ・ベース
１２２    ガイド
１２２ａ    挿通孔
１４    レンズホルダ
１４０    筒状部
１４２    雌ネジ
１６    駆動コイル
１６２    引出し線
１８    永久磁石
２０    ヨーク
２２    上側板バネ（前側スプリング）
２２２    内周側端部（内輪）
２２４    外周側端部（外輪）
２４    下側板バネ（後側スプリング）
２４２    内周側端部（内輪）
２４４    外周側端部（外輪）
２６    ストッパ
３２    シート状電極
３２２    電極部
３２４    延出部
３２４ａ    レンズ駆動端子
４０    レンズモジュール
４２    基板
４２ａ    基板の上面
４２２    導体パターン（銅パターン）
４４    封止部材
５２    導電性樹脂
５４    放熱性樹脂
５６    導電性板（金属板）
Ｏ    光軸
【図１】
2009216878.tif 000003
【図２】
2009216878.tif 000004
【図３】
2009216878.tif 000005
【図４】
2009216878.tif 000006
【図５】
2009216878.tif 000007
【図６】
2009216878.tif 000008
【図７】
2009216878.tif 000009